(57)【特許請求の範囲】
【請求項１】
第１の引き戸（Ｄ１；Ｄ１１）と、第２の引き戸（Ｄ２；Ｄ１２）と、前記第１の引き戸（Ｄ１；Ｄ１１）の上端面側または下端面側に、前記第１の引き戸（Ｄ１；Ｄ１１）のスライド方向で互いに離間して設けられた一対の方向転換部材（２ａ、２ｂ）と、前記一対の方向転換部材（２ａ、２ｂ）にループ状にかけ回される伝動部材（３）と、前記第２の引き戸（Ｄ２；Ｄ１２）に取り付けられ、前記伝動部材（３）に直接または間接的に連結される連結部材（４ａ）とを備え、前記第２の引き戸（Ｄ２；Ｄ１２）のスライドに応じて前記連結部材（４ａ）がスライド方向へ移動すると、前記連結部材（４ａ）と連結された前記伝動部材（３）が回動し、前記第１の引き戸（Ｄ１；Ｄ１１）が前記第２の引き戸（Ｄ２；Ｄ１２）に連動する連動引き戸装置であって、
前記連結部材（４ａ）と前記伝動部材（３）とが、磁力により互いに連結するように構成され、
前記伝動部材（３）の長手方向の少なくとも１箇所に設けられ、前記連結部材（４ａ）に連結される被連結部材（５）をさらに備え、前記連結部材（４ａ）および前記被連結部材（５）の一方が磁石（Ｍ）を備え、他方が前記磁石（Ｍ）に吸着される磁性体または第２の磁石を備え、前記連結部材（４ａ）と前記被連結部材（５）が対向したときに磁力により吸着されて連結され、
前記方向転換部材（２ａ、２ｂ）がギヤローラーであり、前記伝動部材（３）が前記ギヤローラーに噛み合うラック部（３ａ）を有する歯付ベルトであり、前記歯付ベルトが、ループを形成しない１つまたは２つ以上の直線状のベルト部材の端部を、前記被連結部材（５）に接続することによりループ状に形成され、
前記被連結部材（５）が、前記磁石（Ｍ）、前記磁性体または前記第２の磁石が設けられる基部（５１）と、前記ラック部（３ａ）が係合する係合部（５２ａ）を備えた係合部材（５２）とを備え、前記ベルト部材の端部が前記基部（５１）と前記係合部材（５２）との間に挟持されるように、前記基部（５１）と前記係合部材（５２）とが固定され、
前記連結部材（４ａ）が前記第２の引き戸（Ｄ２；Ｄ１２）の上端に取り付けられ、前記連結部材（４ａ）が、
前記第２の引き戸（Ｄ２；Ｄ１２）の上端に固定される固定部（４１）と、前記第２の引き戸（Ｄ２；Ｄ１２）の上端に対して略垂直に延び、前記被連結部材（５）と磁力により吸着しあう吸着面（４２）と、前記吸着面（４２）から前記第１の引き戸（Ｄ１；Ｄ１１）側に向かって略垂直に延びる延設部（４３）とを備え、前記延設部（４３）が前記歯付ベルトの駆動による浮き上がりを防止する、
連動引き戸装置。
【請求項２】
前記連結部材（４ａ）および前記被連結部材（５）の一方が嵌合凹部（５ａ）を備え、前記連結部材（４ａ）および前記被連結部材（５）の他方が前記嵌合凹部（５ａ）に嵌合する嵌合部を備え、前記連結部材（４ａ）と前記被連結部材（５）が対向したときに前記嵌合部が前記嵌合凹部（５ａ）に嵌合するように構成された請求項１記載の連動引き戸装置。
【請求項３】
前記被連結部材（５）の基部（５１）が、前記連結部材（４ａ）の延設部（４３）が挿入される挿入部（５３）を備え、前記連結部材（４ａ）と前記被連結部材（５）とが連結されたときに、前記挿入部（５３）に延設部（４３）が挿入されることにより、前記連結部材（４ａ）と前記被連結部材（５）との間の鉛直方向の移動が規制され、前記連結部材（４ａ）と前記被連結部材（５）との間の離脱が防止される請求項１または２に記載の連動引き戸装置。
【請求項４】
前記連動引き戸装置がさらに、第２の連結部材（４ｂ）が取り付けられた第３の引き戸（Ｄ３；Ｄ１３）を備え、前記第１の引き戸（Ｄ１；Ｄ１１）が、前記第２の引き戸（Ｄ２；Ｄ１２）および前記第３の引き戸（Ｄ３；Ｄ１３）に挟まれるように配置され、
前記伝動部材（３）の長手方向の少なくとも１箇所に取り付けられ、前記第２の連結部材（４ｂ）に直接または間接的に連結される第２の被連結部材（５；５０ｂ）をさらに備え、
前記被連結部材（５）と前記第２の被連結部材（５；５０ｂ）とが、前記伝動部材（３）の長手方向で略等間隔となるように配置され、前記第２の引き戸（Ｄ２；Ｄ１２）をスライドさせると前記第１の引き戸（Ｄ１；Ｄ１１）が連動してスライドし、前記第３の引き戸（Ｄ３；Ｄ１３）をスライドさせると、前記第１の引き戸（Ｄ１；Ｄ１１）が連動してスライドする請求項１〜３のいずれか１項に記載の連動引き戸装置。
【請求項５】
前記連動引き戸装置が少なくとも４枚以上の引き戸（Ｄ１１、Ｄ１２、Ｄ１３、Ｄ１４）を連動させるように構成され、
前記連動引き戸装置が、前記第１の引き戸（Ｄ１１）および前記第２の引き戸（Ｄ１２）を挟むように配置された、第３の引き戸（Ｄ１３）および第４の引き戸（Ｄ１４）を少なくとも備え、
前記第２の引き戸（Ｄ１２）の上端面側または下端面側に、前記第２の引き戸（Ｄ１２）のスライド方向で互いに離間して設けられた一対の方向転換部材（２ａ、２ｂ）と、前記一対の方向転換部材（２ａ、２ｂ）にループ状にかけ回される第２伝動部材（３３）とを備え、
前記連動引き戸装置が、
前記第３の引き戸（Ｄ１３）のスライド方向（Ｙ）における引き戸閉鎖方向側の端部近傍に取り付けられ、前記第１の引き戸（Ｄ１１）に向かって延び、前記伝動部材（３）に直接または間接的に連結される第２の連結部材（４ｂ）と、
前記第２の引き戸（Ｄ１２）のスライド方向（Ｙ）における引き戸開放方向側の端部近傍に取り付けられ、前記第１の引き戸に向かって延びる前記連結部材（４ａ）と、
前記第１の引き戸（Ｄ１１）のスライド方向（Ｙ）における引き戸閉鎖方向側の端部近傍に取り付けられ、前記第２の引き戸（Ｄ１２）に向かって延び、前記第２伝動部材（３３）に直接または間接的に連結される第３の連結部材（４ｃ）と、
前記第４の引き戸（Ｄ１４）のスライド方向（Ｙ）における引き戸開放方向側の端部近傍に取り付けられ、前記第２の引き戸（Ｄ１２）に向かって延び、前記第２伝動部材（３３）に直接または間接的に連結される第４の連結部材（４ｄ）と
を備え、
前記第３の連結部材（４ｃ）と前記第２伝動部材（３３）とが、磁力により互いに連結され、前記第４の連結部材（４ｄ）と前記第２伝動部材（３３）とが、磁力により互いに連結される請求項１〜３のいずれか１項に記載の連動引き戸装置。
【請求項６】
前記第１〜第４の引き戸（Ｄ１１、Ｄ１２、Ｄ１３、Ｄ１４）が開放した状態から引き戸閉鎖方向に移動する際に、前記連結部材（４ａ）および前記第３の連結部材（４ｃ）が互いに対してスライド方向（Ｙ）で近付くように移動し、
前記連結部材（４ａ）および前記第３の連結部材（４ｃ）の一方が、引き戸に取り付けられる固定部（４１）と、前記固定部（４１）から延び、引き戸の厚さ方向に切断した断面が略逆Ｕ字状のＵ字状部位（４４）とを備え、
前記連結部材（４ａ）および前記第３の連結部材（４ｃ）の他方が、引き戸に取り付けられる固定部（４１ｃ）と、前記固定部（４１ｃ）から延び、引き戸の厚さ方向に切断した断面が略Ｌ字状のＬ字状部位（４６）とを備え、
前記連結部材（４ａ）および前記第３の連結部材（４ｃ）が前記スライド方向（Ｙ）で一致する位置に移動したときに、前記Ｕ字状部位（４４）の内側に、前記Ｌ字状部位（４６）の一部が入り込み、前記連結部材（４ａ）と前記第３の連結部材（４ｃ）とが干渉しないように構成されている請求項５記載の連動引き戸装置。
【請求項７】
前記伝動部材（３）および前記第２伝動部材（３３）が、異なる高さとなるように前記方向転換部材（２ａ、２ｂ）に巻回され、
前記連結部材（４ａ）および前記第３の連結部材（４ｃ）の一方が、前記伝動部材（３）および前記第２伝動部材（３３）のうち、高さが低い方に取り付けられ、
前記連結部材（４ａ）および前記第３の連結部材（４ｃ）の他方が、前記連結部材（４ａ）および前記第３の連結部材（４ｃ）の一方の高さを超えて延び、前記伝動部材（３）および前記第２伝動部材（３３）のうち、高さが高い方に取り付けられ、
前記連結部材（４ａ）および前記第３の連結部材（４ｃ）が前記スライド方向（Ｙ）で一致する位置に移動したときに、前記連結部材（４ａ）と前記第３の連結部材（４ｃ）とが干渉しないように構成されている請求項５記載の連動引き戸装置。
【請求項８】
前記連結部材（４ａ）および前記第３の連結部材（４ｃ）が、前記伝動部材（３）と前記第２伝動部材（３３）との間で互いに交差するように延び、
前記連結部材（４ａ）が、引き戸に取り付けられる固定部（４１）と、前記固定部（４１）から前記伝動部材（３）に向かって延びる延長部（４２０）とを有し、
前記第３の連結部材（４ｃ）が、引き戸に取り付けられる固定部（４１）と、前記固定部（４１）から前記第２伝動部材（３３）に向かって延びる延長部（４２０）とを有し、
前記連結部材（４ａ）の延長部（４２０）のうち、前記第３の連結部材（４ｃ）の延長部（４２０）と交差する部位において、前記引き戸閉鎖方向側に切欠部（４３０）を有し、
前記第３の連結部材（４ｃ）の延長部（４２０）のうち、前記連結部材（４ａ）の延長部（４２０）と交差する部位において、前記引き戸開放方向側に切欠部（４３０）を有し、
前記連結部材（４ａ）および前記第３の連結部材（４ｃ）が前記スライド方向（Ｙ）で一致する位置に移動したときに、前記連結部材（４ａ）の切欠部（４３０）に前記第３の連結部材（４ｃ）の切欠部（４３０）が入り込むように構成されている請求項５記載の連動引き戸装置。
【請求項９】
第１の引き戸（Ｄ１；Ｄ１１）と、第２の引き戸（Ｄ２；Ｄ１２）と、前記第１の引き戸（Ｄ１；Ｄ１１）の上端面側または下端面側に、前記第１の引き戸（Ｄ１；Ｄ１１）のスライド方向で互いに離間して設けられた一対の方向転換部材（２ａ、２ｂ）と、前記一対の方向転換部材（２ａ、２ｂ）にループ状にかけ回される伝動部材（３）と、前記第２の引き戸（Ｄ２；Ｄ１２）に取り付けられ、前記伝動部材（３）に直接または間接的に連結される連結部材（４ａ）とを備え、前記第２の引き戸（Ｄ２；Ｄ１２）のスライドに応じて前記連結部材（４ａ）がスライド方向へ移動すると、前記連結部材（４ａ）と連結された前記伝動部材（３）が回動し、前記第１の引き戸（Ｄ１；Ｄ１１）が前記第２の引き戸（Ｄ２；Ｄ１２）に連動する連動引き戸装置であって、
前記連結部材（４ａ）と前記伝動部材（３）とが、磁力により互いに連結するように構成され、
前記連動引き戸装置が少なくとも４枚以上の引き戸（Ｄ１１、Ｄ１２、Ｄ１３、Ｄ１４）を連動させるように構成され、
前記連動引き戸装置が、前記第１の引き戸（Ｄ１１）および前記第２の引き戸（Ｄ１２）を挟むように配置された、第３の引き戸（Ｄ１３）および第４の引き戸（Ｄ１４）を少なくとも備え、
前記第２の引き戸（Ｄ１２）の上端面側または下端面側に、前記第２の引き戸（Ｄ１２）のスライド方向で互いに離間して設けられた一対の方向転換部材（２ａ、２ｂ）と、前記一対の方向転換部材（２ａ、２ｂ）にループ状にかけ回される第２伝動部材（３３）とを備え、
前記連動引き戸装置が、
前記第３の引き戸（Ｄ１３）のスライド方向（Ｙ）における引き戸閉鎖方向側の端部近傍に取り付けられ、前記第１の引き戸（Ｄ１１）に向かって延び、前記伝動部材（３）に直接または間接的に連結される第２の連結部材（４ｂ）と、
前記第２の引き戸（Ｄ１２）のスライド方向（Ｙ）における引き戸開放方向側の端部近傍に取り付けられ、前記第１の引き戸に向かって延びる前記連結部材（４ａ）と、
前記第１の引き戸（Ｄ１１）のスライド方向（Ｙ）における引き戸閉鎖方向側の端部近傍に取り付けられ、前記第２の引き戸（Ｄ１２）に向かって延び、前記第２伝動部材（３３）に直接または間接的に連結される第３の連結部材（４ｃ）と、
前記第４の引き戸（Ｄ１４）のスライド方向（Ｙ）における引き戸開放方向側の端部近傍に取り付けられ、前記第２の引き戸（Ｄ１２）に向かって延び、前記第２伝動部材（３３）に直接または間接的に連結される第４の連結部材（４ｄ）と
を備え、
前記第３の連結部材（４ｃ）と前記第２伝動部材（３３）とが、磁力により互いに連結され、前記第４の連結部材（４ｄ）と前記第２伝動部材（３３）とが、磁力により互いに連結され、
前記伝動部材（３）および前記第２伝動部材（３３）が、異なる高さとなるように前記方向転換部材（２ａ、２ｂ）に巻回され、
前記連結部材（４ａ）および前記第３の連結部材（４ｃ）の一方が、前記伝動部材（３）および前記第２伝動部材（３３）のうち、高さが低い方に取り付けられ、
前記連結部材（４ａ）および前記第３の連結部材（４ｃ）の他方が、前記連結部材（４ａ）および前記第３の連結部材（４ｃ）の一方の高さを超えて延び、前記伝動部材（３）および前記第２伝動部材（３３）のうち、高さが高い方に取り付けられ、
前記連結部材（４ａ）および前記第３の連結部材（４ｃ）が前記スライド方向（Ｙ）で一致する位置に移動したときに、前記連結部材（４ａ）と前記第３の連結部材（４ｃ）とが干渉しないように構成されている連動引き戸装置。
【請求項１０】
第１の引き戸（Ｄ１；Ｄ１１）と、第２の引き戸（Ｄ２；Ｄ１２）と、前記第１の引き戸（Ｄ１；Ｄ１１）の上端面側または下端面側に、前記第１の引き戸（Ｄ１；Ｄ１１）のスライド方向で互いに離間して設けられた一対の方向転換部材（２ａ、２ｂ）と、前記一対の方向転換部材（２ａ、２ｂ）にループ状にかけ回される伝動部材（３）と、前記第２の引き戸（Ｄ２；Ｄ１２）に取り付けられ、前記伝動部材（３）に直接または間接的に連結される連結部材（４ａ）とを備え、前記第２の引き戸（Ｄ２；Ｄ１２）のスライドに応じて前記連結部材（４ａ）がスライド方向へ移動すると、前記連結部材（４ａ）と連結された前記伝動部材（３）が回動し、前記第１の引き戸（Ｄ１；Ｄ１１）が前記第２の引き戸（Ｄ２；Ｄ１２）に連動する連動引き戸装置であって、
前記連結部材（４ａ）と前記伝動部材（３）とが、磁力により互いに連結するように構成され、
前記連動引き戸装置が少なくとも４枚以上の引き戸（Ｄ１１、Ｄ１２、Ｄ１３、Ｄ１４）を連動させるように構成され、
前記連動引き戸装置が、前記第１の引き戸（Ｄ１１）および前記第２の引き戸（Ｄ１２）を挟むように配置された、第３の引き戸（Ｄ１３）および第４の引き戸（Ｄ１４）を少なくとも備え、
前記第２の引き戸（Ｄ１２）の上端面側または下端面側に、前記第２の引き戸（Ｄ１２）のスライド方向で互いに離間して設けられた一対の方向転換部材（２ａ、２ｂ）と、前記一対の方向転換部材（２ａ、２ｂ）にループ状にかけ回される第２伝動部材（３３）とを備え、
前記連動引き戸装置が、
前記第３の引き戸（Ｄ１３）のスライド方向（Ｙ）における引き戸閉鎖方向側の端部近傍に取り付けられ、前記第１の引き戸（Ｄ１１）に向かって延び、前記伝動部材（３）に直接または間接的に連結される第２の連結部材（４ｂ）と、
前記第２の引き戸（Ｄ１２）のスライド方向（Ｙ）における引き戸開放方向側の端部近傍に取り付けられ、前記第１の引き戸に向かって延びる前記連結部材（４ａ）と、
前記第１の引き戸（Ｄ１１）のスライド方向（Ｙ）における引き戸閉鎖方向側の端部近傍に取り付けられ、前記第２の引き戸（Ｄ１２）に向かって延び、前記第２伝動部材（３３）に直接または間接的に連結される第３の連結部材（４ｃ）と、
前記第４の引き戸（Ｄ１４）のスライド方向（Ｙ）における引き戸開放方向側の端部近傍に取り付けられ、前記第２の引き戸（Ｄ１２）に向かって延び、前記第２伝動部材（３３）に直接または間接的に連結される第４の連結部材（４ｄ）と
を備え、
前記第３の連結部材（４ｃ）と前記第２伝動部材（３３）とが、磁力により互いに連結され、前記第４の連結部材（４ｄ）と前記第２伝動部材（３３）とが、磁力により互いに連結され、
前記連結部材（４ａ）および前記第３の連結部材（４ｃ）が、前記伝動部材（３）と前記第２伝動部材（３３）との間で互いに交差するように延び、
前記連結部材（４ａ）が、引き戸に取り付けられる固定部（４１）と、前記固定部（４１）から前記伝動部材（３）に向かって延びる延長部（４２０）とを有し、
前記第３の連結部材（４ｃ）が、引き戸に取り付けられる固定部（４１）と、前記固定部（４１）から前記第２伝動部材（３３）に向かって延びる延長部（４２０）とを有し、
前記連結部材（４ａ）の延長部（４２０）のうち、前記第３の連結部材（４ｃ）の延長部（４２０）と交差する部位において、前記引き戸閉鎖方向側に切欠部（４３０）を有し、
前記第３の連結部材（４ｃ）の延長部（４２０）のうち、前記連結部材（４ａ）の延長部（４２０）と交差する部位において、前記引き戸開放方向側に切欠部（４３０）を有し、
前記連結部材（４ａ）および前記第３の連結部材（４ｃ）が前記スライド方向（Ｙ）で一致する位置に移動したときに、前記連結部材（４ａ）の切欠部（４３０）に前記第３の連結部材（４ｃ）の切欠部（４３０）が入り込むように構成されている連動引き戸装置。
【発明の詳細な説明】
【技術分野】
【０００１】
本発明は、連動引き戸装置に関する。
【背景技術】
【０００２】
複数の引き戸を連動させて引き戸を開放および閉鎖することができる連動引き戸装置が知られている。このような連動引き戸装置として、特許文献１には、図１９に示されるように、互いに隣接して平行に配置された３本のレールにそれぞれ滑動自在に装着された第１の扉１０１、第２の扉１０２および第３の扉１０３を有している。中間に位置する第２の扉１０２は、その上端面の前端部および後端部に縦軸の回りで回転するギヤローラー１０４を有している。このギヤローラー１０４は無端ベルト１０５によって連動されている。一方、第１の扉１０１の前端部は固定具１０６を介して無端ベルト１０５の扉に隣接する部分に止着され、第３の扉１０３の後端部が固定具１０７を介して無端ベルト１０５の扉に隣接する部分に止着されている。このような構造により、第１の扉１０１をスライドさせると、第２の扉１０２が連動し、第３の扉１０３をスライドさせると、第２の扉１０２が連動するように構成されている。
【０００３】
固定具１０６、１０７は、扉上面に固着された台盤１０８と、台盤１０８に取付けビス１０９により取り付けられた調整板１１０により構成され、調整板１１０と無端ベルト１０５との取付はビス１１１を介して止着されている。
【０００４】
特許文献１のような連動引き戸装置では、一般的に扉枠の開口幅に応じた３枚の扉１０１、１０２、１０３を用意し、その扉の幅（スライド方向の長さ）に応じた長さの無端ベルト１０５を予め発注して、所定の長さに成形された無端ベルト１０５を準備する。これら３枚の扉１０１、１０２、１０３、無端ベルト１０５の他、ギヤローラー１０４、滑動ローラー１１２、台盤１０８、調整板１１０、およびこれらを固定するビス１０９、１１１等も扉を取り付ける現場で用意され、複数の部材を組み立てて連動引き戸装置となる。より具体的には、第１および第３の扉１０１、１０３には、台盤１０８がビス１１３により固定され、第２の扉１０２にはギヤローラー１０４が扉上面の前後端にビス１１４により取り付けられる。ギヤローラー１０４が取り付けられると、無端ベルト１０５をギヤローラー１０４の上から２つのギヤローラー１０４に引っ掛けるようにして取り付ける。また、第１〜第３の扉１０１、１０２、１０３にはそれぞれ滑動ローラー１１２が取り付けられる。
【先行技術文献】
【特許文献】
【０００５】
【特許文献１】特開平１０−１９６２２２号公報
【発明の概要】
【発明が解決しようとする課題】
【０００６】
しかしながら、第１〜第３の扉１０１、１０２、１０３を扉枠に取り付ける前に、無端ベルト１０５に取り付けられた調整板１１０と台盤１０８とをビス１０９で取り付けてしまうと、第２の扉１０２と第１の扉１０１、および、第２の扉１０２と第３の扉１０３が連結されてしまうため、一枚ずつ扉を扉枠に取り付けることが不可能である。そのため、調整板１１０と台盤１０８との間のビス１０９による取り付けは、第１〜第３の扉１０１、１０２、１０３を全て扉枠に取り付けた後に行う必要がある。しかしながら、無端ベルト１０５および固定具１０６は、扉の上端にあり高い位置での作業が必要となり、ただでさえ取り付けが困難となるのに加え、さらに、扉の上端と、扉枠の上側の下端との間にはスペースがそれほどないため、ビスでの取り付け作業はより困難であった。この作業の困難性は、取り付け作業時だけでなく、部材の点検や交換、扉の取り外し時など、無端ベルト１０５と固定具１０６、１０７の取り付けを解除する取り外し時にも生じる。
【０００７】
そこで、本発明はかかる問題点に鑑みて、連動引き戸装置において用いられる伝動部材および連結部材の間の取り付け、取り外しを容易にし、作業性が向上する連動引き戸装置の提供を目的とする。
【課題を解決するための手段】
【０００８】
本発明の連動引き戸装置は、第１の引き戸と、第２の引き戸と、前記第１の引き戸の上端面側または下端面側に、前記第１の引き戸のスライド方向で互いに離間して設けられた一対の方向転換部材と、前記一対の方向転換部材にループ状にかけ回される伝動部材と、前記第２の引き戸に取り付けられ、前記伝動部材に直接または間接的に連結される連結部材とを備え、前記第２の引き戸のスライドに応じて前記連結部材がスライド方向へ移動すると、前記連結部材と連結された前記伝動部材が回動し、前記第１の引き戸が前記第２の引き戸に連動する連動引き戸装置であって、前記連結部材と前記伝動部材とが、磁力により互いに連結するように構成されていることを特徴とする。なお、本発明の連動引き戸装置は、第１の引き戸および第２の引き戸を少なくとも有していればよく、第３の引き戸、第４の引き戸、第５の引き戸等、他の複数の引き戸を有していてもよい。
【０００９】
また、前記伝動部材の長手方向の少なくとも１箇所に設けられ、前記連結部材に連結される被連結部材をさらに備え、前記連結部材および前記被連結部材の一方が磁石を備え、他方が前記磁石に吸着される磁性体または第２の磁石を備え、前記連結部材と前記被連結部材が対向したときに磁力により吸着されて連結されることが好ましい。
【００１０】
また、前記連結部材および前記被連結部材の一方が嵌合凹部を備え、前記連結部材および前記被連結部材の他方が前記嵌合凹部に嵌合する嵌合部を備え、前記連結部材と前記被連結部材が対向したときに前記嵌合部が前記嵌合凹部に嵌合するように構成されていることが好ましい。
【００１１】
また、前記方向転換部材がギヤローラーであり、前記伝動部材が前記ギヤローラーに噛み合うラック部を有する歯付ベルトであり、前記歯付ベルトが、ループを形成しない１つまたは２つ以上の直線状のベルト部材の端部を、前記被連結部材に接続することによりループ状に形成され、前記被連結部材が、前記磁石、前記磁性体または前記第２の磁石が設けられる基部と、前記ラック部が係合する係合部を備えた係合部材とを備え、前記ベルト部材の端部が前記基部と前記係合部材との間に挟持されるように、前記基部と前記係合部材とが固定されることが好ましい。
【００１２】
また、前記連結部材が前記第２の引き戸の上端に取り付けられ、前記連結部材が、前記第２の引き戸の上端に固定される固定部と、前記第２の引き戸の上端に対して略垂直に延び、前記被連結部材と磁力により吸着しあう吸着面と、前記吸着面から前記第１の引き戸側に向かって略垂直に延びる延設部とを備え、前記延設部が前記歯付ベルトの駆動による浮き上がりを防止することが好ましい。
【００１３】
また、前記被連結部材の基部が、前記連結部材の延設部が挿入される挿入部を備え、前記連結部材と前記被連結部材とが連結されたときに、前記挿入部に延設部が挿入されることにより、前記連結部材と前記被連結部材との間の鉛直方向の移動が規制され、前記連結部材と前記被連結部材との間の離脱が防止されることが好ましい。
【００１４】
また、前記連動引き戸装置がさらに、第２の連結部材が取り付けられた第３の引き戸を備え、前記第１の引き戸が、前記第２の引き戸および前記第３の引き戸に挟まれるように配置され、前記伝動部材の長手方向の少なくとも１箇所に取り付けられ、前記第２の連結部材に直接または間接的に連結される第２の被連結部材をさらに備え、前記被連結部材と前記第２の被連結部材とが、前記伝動部材の長手方向で略等間隔となるように配置され、前記第２の引き戸をスライドさせると前記第１の引き戸が連動してスライドし、前記第３の引き戸をスライドさせると、前記第１の引き戸が連動してスライドすることが好ましい。
【００１５】
また、前記連動引き戸装置が少なくとも４枚以上の引き戸を連動させるように構成され、前記連動引き戸装置が、前記第１の引き戸および前記第２の引き戸を挟むように配置された、第３の引き戸および第４の引き戸を少なくとも備え、前記第２の引き戸の上端面側または下端面側に、前記第２の引き戸のスライド方向で互いに離間して設けられた一対の方向転換部材と、前記一対の方向転換部材にループ状にかけ回される第２伝動部材とを備え、前記連動引き戸装置が、前記第３の引き戸のスライド方向における引き戸閉鎖方向側の端部近傍に取り付けられ、前記第１の引き戸に向かって延び、前記伝動部材に直接または間接的に連結される第２の連結部材と、前記第２の引き戸のスライド方向における引き戸開放方向側の端部近傍に取り付けられ、前記第１の引き戸に向かって延びる前記連結部材と、前記第１の引き戸のスライド方向における引き戸閉鎖方向側の端部近傍に取り付けられ、前記第２の引き戸に向かって延び、前記第２伝動部材に直接または間接的に連結される第３の連結部材と、前記第４の引き戸のスライド方向における引き戸開放方向側の端部近傍に取り付けられ、前記第２の引き戸に向かって延び、前記第２伝動部材に直接または間接的に連結される第４の連結部材とを備え、前記第３の連結部材と前記第２伝動部材とが、磁力により互いに連結され、前記第４の連結部材と前記第２伝動部材とが、磁力により互いに連結されることが好ましい。
【００１６】
また、前記第１〜第４の引き戸が開放した状態から引き戸閉鎖方向に移動する際に、前記連結部材および前記第３の連結部材が互いに対してスライド方向で近付くように移動し、前記連結部材および前記第３の連結部材の一方が、引き戸に取り付けられる固定部と、前記固定部から延び、引き戸の厚さ方向に切断した断面が略逆Ｕ字状のＵ字状部位とを備え、前記連結部材および前記第３の連結部材の他方が、引き戸に取り付けられる固定部と、前記固定部から延び、引き戸の厚さ方向に切断した断面が略Ｌ字状のＬ字状部位とを備え、前記連結部材および前記第３の連結部材が前記スライド方向で一致する位置に移動したときに、前記Ｕ字状部位の内側に、前記Ｌ字状部位の一部が入り込み、前記連結部材と前記第３の連結部材とが干渉しないように構成されていることが好ましい。
【００１７】
また、前記伝動部材および前記第２伝動部材が、異なる高さとなるように前記方向転換部材に巻回され、前記連結部材および前記第３の連結部材の一方が、前記伝動部材および前記第２伝動部材のうち、高さが低い方に取り付けられ、前記連結部材および前記第３の連結部材の他方が、前記連結部材および前記第３の連結部材の一方の高さを超えて延び、前記伝動部材および前記第２伝動部材のうち、高さが高い方に取り付けられ、前記連結部材および前記第３の連結部材が前記スライド方向で一致する位置に移動したときに、前記連結部材と前記第３の連結部材とが干渉しないように構成されていることが好ましい。
【００１８】
また、前記連結部材および前記第３の連結部材が、前記伝動部材と前記第２伝動部材との間で互いに交差するように延び、前記連結部材が、引き戸に取り付けられる固定部と、前記固定部から前記伝動部材に向かって延びる延長部とを有し、前記第３の連結部材が、引き戸に取り付けられる固定部と、前記固定部から前記第２伝動部材に向かって延びる延長部とを有し、前記連結部材の延長部のうち、前記第３の連結部材の延長部と交差する部位において、前記引き戸閉鎖方向側に切欠部を有し、前記第３の連結部材の延長部のうち、前記連結部材の延長部と交差する部位において、前記引き戸開放方向側に切欠部を有し、前記連結部材および前記第３の連結部材が前記スライド方向で一致する位置に移動したときに、前記連結部材の切欠部に前記第３の連結部材の切欠部が入り込むように構成されていることが好ましい。
【発明の効果】
【００１９】
本発明によれば、連動引き戸装置において用いられる伝動部材および連結部材の間の取り付け、取り外しが容易となり、現場での作業性を向上させることができる。
【図面の簡単な説明】
【００２０】
【図１】本発明の連動引き戸装置の一実施形態を示す斜視図である。
【図２】図１の連動引き戸装置を、引き戸のスライド方向の一端面側から見た図である。
【図３】図１の連動引き戸装置を、上端面側から見た上面図である。
【図４】（ａ）〜（ｃ）は、一実施形態の連動引き戸装置の動作例を示す概略図である。
【図５】（ａ）は、一実施形態の連動引き戸装置において、連結部材と被連結部材が連結される前の状態を示す図であり、（ｂ）は、（ａ）に示す状態から、連結部材と被連結部材とを対向させて、連結部材と被連結部材とが磁力により吸着されて連結された状態を示す図である。
【図６】（ａ）は、一実施形態の連動引き戸装置における、被連結部材と歯付ベルトが接続された状態を示す上面図であり、（ｂ）は（ａ）の側面図である。
【図７】被連結部材と連結部材との間の連結を示す、被連結部材のみを切断した部分断面図である。
【図８】（ａ）は、図１に示す実施形態の被連結部材の変形例を示す正面図であり、（ｂ）は、（ａ）のＩ−Ｉ線断面図であり、（ｃ）は、連結部材と被連結部材とが連結された状態を示す部分断面図である。
【図９】本発明の連動引き戸装置の第２の実施形態を示す上面図である。
【図１０】第２の実施形態の連動引き戸装置の開放状態を示す概略図である。
【図１１】第２の実施形態の連動引き戸装置の閉鎖状態を示す概略図である。
【図１２】第３の実施形態の連動引き戸装置の連結部材を示す図である。
【図１３】第３の実施形態の連動引き戸装置の上面図である。
【図１４】第３の実施形態の連動引き戸装置の閉鎖状態を示す概略図である。
【図１５】第４の実施形態の連動引き戸装置の連結部材を示す図である。
【図１６】第５の実施形態の連動引き戸装置の連結部材を示す図である。
【図１７】第６の実施形態の連動引き戸装置の連結部材を示す図である。
【図１８】第６の実施形態の連動引き戸装置に用いられる連結部材の斜視図である。
【図１９】従来の連動引き戸装置を示す分解斜視図である。
【発明を実施するための形態】
【００２１】
以下、添付図面を参照し、本発明の連動引き戸装置を詳細に説明する。
【００２２】
本発明の連動引き戸装置は、例えば、３枚以上の複数枚の引き戸や、戸袋内に収納される２枚の引き戸等の操作時に、１枚の引き戸を動かすと、他の引き戸が動かした引き戸に連動して移動するものである。以下に示す例では、３枚の引き戸をスライドさせて連動させる構造について説明するが、本発明は、２枚の引き戸（たとえば、２枚の引き戸が戸袋に収納されるものなど）を連動させる構造にも適用することができ、後述するように、４枚以上の引き戸を連動させる構造にも適用することができる。なお、本発明は、以下に示す実施形態のみに限定されるものではない。
【００２３】
＜第１の実施形態＞
図１に示されるように、本実施形態の連動引き戸装置１は、引き戸Ｄ１（第１の引き戸）と、引き戸Ｄ２（第２の引き戸）と、引き戸Ｄ３（第３の引き戸）とを備えている。引き戸Ｄ１、引き戸Ｄ２、引き戸Ｄ３（以下、引き戸Ｄ１、引き戸Ｄ２、引き戸Ｄ３をまとめて引き戸Ｄという）は、互いに対して略平行に設けられている。引き戸Ｄ１、引き戸Ｄ２および引き戸Ｄ３は、所定の幅を有する間口を閉鎖可能であり、間口を開放した状態では、３枚の引き戸Ｄは図１に示されるように、互いに重なった状態となる。３枚の引き戸Ｄが重なった状態において、引き戸Ｄの厚さ方向Ｘ（図１参照）で中央に位置し、引き戸Ｄ２と引き戸Ｄ３に挟まれるように配置されるのが、引き戸Ｄ１であり、引き戸Ｄ１の厚さ方向Ｘの両側に隣接して引き戸Ｄ２および引き戸Ｄ３が位置している。
【００２４】
これら３枚の引き戸Ｄは、互いに対してスライドするように構成され、本実施形態では、図２に示されるように、引き戸Ｄは、引き戸Ｄの上部側に設けられたレールＲ１、下部側に設けられたレールＲ２に沿ってそれぞれスライドするように構成されている。具体的には、本実施形態では、図１および図２に示されるように、引き戸Ｄの上端に設けられ、レールＲ１に係合して案内される案内部材Ｇを備えている。案内部材Ｇは、本実施形態では図１および図２に示されるように、シリンダ部Ｇａと、シリンダ部Ｇａ内にその一部が収容されるシャフト部Ｇｂとを備えている。シャフト部Ｇｂの上端は、レールＲ１と係合する係合部Ｇｃを備え、引き戸Ｄのスライド時に係合部ＧｃがレールＲ１の溝に案内されながら引き戸Ｄがスライドする。シャフト部Ｇｂの下端側は、シリンダ部Ｇａ内に収容され、シリンダ部Ｇａ内に、シャフト部ＧｂをレールＲ１の溝内に向かって（上方に向かって）付勢するバネ等の付勢部材（図示せず）が設けられている。引き戸ＤをレールＲ１に取り付けるときには、係合部ＧｃをレールＲ１の溝に押し付けると、シャフト部Ｇｂは付勢部材の付勢力に抗してシリンダ部Ｇａ内に押し込まれ、引き戸ＤをレールＲ１に取り付けると、付勢部材の付勢力により、シャフト部ＧｂはレールＲ１の溝に向かって突出する。これにより、引き戸ＤのレールＲ１への着脱が容易になる。
【００２５】
引き戸Ｄの下部には、本実施形態では、図２に示されるように、レールＲ２上を転動する戸車Ｗが設けられている。戸車Ｗは公知の戸車を用いることができる。なお、引き戸Ｄは互いに対してスライド移動が可能であればよく、引き戸ＤをスライドさせるためのレールＲ１、Ｒ２、案内部材Ｇ、戸車Ｗ等の引き戸Ｄの案内機構は、本実施形態で示したものに限定されるものではない。例えば、引き戸Ｄの上部側に滑動ローラーおよび滑動ローラーが転動可能なレールを設けてもよいし、溝状の上下のレールに係合する突出部を引き戸Ｄの上下に設けてもよい。また、引き戸Ｄは吊り戸としても構わない。
【００２６】
また、引き戸Ｄ同士を連動させる連動機構として、図１および図３に示されるように、引き戸Ｄ１（第１の引き戸）の上端面ＵＳ側または下端面ＬＳ側に、引き戸Ｄ１のスライド方向Ｙ（図１参照）で互いに離間して設けられた一対の方向転換部材２ａ、２ｂと、一対の方向転換部材２ａ、２ｂにループ状にかけ回される伝動部材３と、引き戸Ｄ２（第２の引き戸）に取り付けられ、伝動部材３に直接または間接的に連結される連結部材４ａとを備えている。また、連結機構は、引き戸Ｄ３（第３の引き戸）にも取り付けられ、伝動部材３に連結される第２の連結部材４ｂを備えている。なお、以下、連結部材４ａおよび第２の連結部材４ｂをまとめて単に連結部材４という。
【００２７】
連動機構は、図４（ａ）〜（ｃ）の模式図に示されるように、１枚の引き戸をスライドさせると、もう１枚の引き戸が連動してスライドするように構成されている。具体的には、引き戸Ｄ１に隣接する引き戸Ｄ２を図４（ａ）中、右方向にスライドさせると、引き戸Ｄ２に取り付けられた連結部材４ａは、引き戸Ｄ２のスライドに応じて、図４（ａ）に示される初期位置から、図４（ｂ）に示されるように、スライド方向（右方向）に移動する。連結部材４ａが右側に移動すると、連結部材４ａの移動に伴って、連結部材４ａが取り付けられた伝動部材３は図４（ｂ）中、反時計回りに回動する。一方、引き戸Ｄ３は、第２の連結部材４ｂにより伝動部材３に連結されているが、引き戸Ｄ３の重量および伝動部材３が反時計回りに回転しているため、引き戸Ｄ３は紙面上左方向に付勢され、引き戸Ｄ３は移動することがない。伝動部材３の連結部材４ａとの接続箇所から伝動部材３の第２の連結部材４ｂとの接続箇所までの伝動部材３の長さは変わらないため、伝動部材３が反時計回りに回動しながら、引き戸Ｄ１は引き戸Ｄ２と同方向に、すなわち右側に連動してスライドする（図４（ｂ）および（ｃ）参照）。これにより、引き戸Ｄ１、引き戸Ｄ２および引き戸Ｄ３により開口を閉鎖することができる。引き戸Ｄ２を、図４（ｃ）に示す状態から開放していく場合も、同様に図４（ｂ）、図４（ａ）の状態へと、引き戸Ｄ１が引き戸Ｄ２に連動する。また、なお、引き戸Ｄ３が壁等の据付型の構造物（壁部）であっても、構造物に第２の連結部材４ｂを設けることなどにより、引き戸Ｄ１と引き戸Ｄ２を連動させることができる。
【００２８】
連結機構に用いられる伝動部材３は、引き戸Ｄの上述した連動を実現するために、連結部材４と連結されて、一対の方向転換部材２ａ、２ｂに案内されて回動する動力伝達部材である。伝動部材３は、本実施形態では、図１および図３に示されるように、ラック部３ａを有する歯付ベルト（以下、歯付ベルト３という場合がある）であるが、回動して動力を伝達し、上述した引き戸Ｄの連動を実現できるものであれば、歯付ベルトに限定されるものではなく、例えば、単なるベルト等の帯状体、ワイヤ、ロープ、紐等の長尺部材であってもよい。また、伝動部材３は、予め無端状のループに成形された伝動部材を用いてもよいが、後述するように、ループを形成しない１つまたは２つ以上の直線状の長尺部材の端部を接続することにより、ループ状に形成してもよい。
【００２９】
伝動部材３は、図１〜図３に示されるように、一対の方向転換部材２ａ、２ｂにかけ回される。方向転換部材２ａ、２ｂは、伝動部材３が回動できるように、伝動部材３を案内する。本実施形態では、方向転換部材２ａ、２ｂは引き戸Ｄ１の上端面ＵＳに取り付けられている。なお、方向転換部材２ａ、２ｂは引き戸Ｄ１の下端面ＬＳに設けられていてもよい。なお、本明細書において、引き戸Ｄ１の「上端面ＵＳ側」、「下端面ＬＳ側」に設けられるという場合、方向転換部材２ａ、２ｂが取り付けられる部位が、引き戸Ｄ１の上端面ＵＳまたは下端面ＬＳ以外に、例えば、方向転換部材２ａ、２ｂが取り付けられた後に、方向転換部材２ａ、２ｂを覆うカバー等により、方向転換部材２ａ、２ｂの上方に新たな面が形成された場合など、上端面ＵＳまたは下端面ＬＳの近傍に方向転換部材２ａ、２ｂが設けられたものも含む。
【００３０】
方向転換部材２ａ、２ｂは、伝動部材３が回動するように案内することができれば、回転するものであっても、回転しないものであってもよいが、本実施形態では、垂直軸周りに回転するギヤローラー（以下、ギヤローラー２ａ、２ｂという場合がある）が用いられている。ギヤローラーは、図１および図２に示されるように、外周にギヤが形成されており、歯付ベルト３を案内している。本実施形態では、ギヤローラー２ａ、２ｂの上部には、図１に示されるように、フランジ部２１が設けられている。フランジ部２１は、ギヤローラー２ａ、２ｂの軸心からギヤローラー２ａ、２ｂの歯先を結んだ円の外周を越えて水平方向に突出するように形成されている。歯付ベルト３は、引き戸Ｄの開閉動作に伴って回動するときに、ギヤローラー２ａ、２ｂの軸方向、すなわち本実施形態では上方向に移動してしまうことが実験により明らかとなり、その歯付ベルト３の上方向への動作をフランジ部２１により規制することができる。なお、フランジ部２１は本実施形態では、ギヤローラー２ａ、２ｂの歯先を結んだ円の径よりも大径の円盤状のフランジ部２１が示されているが、フランジ部２１は円盤状に限定されるものではなく、矩形状等、他の形状であってもよい。
【００３１】
引き戸Ｄ１上に設けられた伝動部材３は、連結部材４と直接または間接的に連結され、伝動部材３が設けられた引き戸に隣接する引き戸を接続する。本実施形態では、伝動部材３が、連結部材４と連結されることにより、引き戸Ｄ１と、隣接する引き戸Ｄ２および引き戸Ｄ３とを接続する。連結部材４は、伝動部材３が設けられる１つの引き戸に隣接する他の引き戸（または壁部などの構造物）に取り付けられる。すなわち、本実施形態では、連結部材４ａは引き戸Ｄ２に取り付けられ、第２の連結部材４ｂは引き戸Ｄ３に取り付けられる。本実施形態では、図１および図３に示されるように、連結部材４ａ、第２の連結部材４ｂはそれぞれ引き戸Ｄ２、引き戸Ｄ３の上端面ＵＳにネジにより固定されている。しかしながら、連結部材４ａ、４ｂは伝動部材３に直接または間接的に取付けが可能であれば、引き戸Ｄ２、引き戸Ｄ３への取付位置は、上端面ＵＳに限定されることはなく、引き戸Ｄの側面（引き戸Ｄ同士が対向する面）等の上端面ＵＳ側に取り付けられていてもよい。また、伝動部材３が引き戸Ｄの下端側に設けられる場合は、下端面ＬＳ側に設けられていてもよい。連結部材４の取付手段は、ネジに限定されるものではなく、接着剤等、他の公知の取付手段を用いることができる。
【００３２】
本実施形態の連動引き戸装置１では、連結部材４と伝動部材３とは、磁力により互いに連結するように構成されている。上述したように、引き戸ＤをレールＲ１、Ｒ２など、引き戸Ｄにより閉鎖される開口に取り付ける際に、２枚または３枚の引き戸Ｄを一度に取り付けることは非常に困難である。そのため、引き戸Ｄを開口に取り付ける前に予め伝動部材３と連結部材４とを取り付けることは事実上不可能であり、引き戸Ｄを１枚ずつ、開口に取り付けた後に、伝動部材３と連結部材４を取り付ける必要が生じる。そして、伝動部材３および連結部材４は引き戸Ｄの上端側または下端側に設けられるため、伝動部材３と連結部材４とを連結する箇所においては、非常に限られたスペースしか存在しない。この場合に、ビスでの取り付けは非常に困難であり、ビスを取り付ける向きが垂直方向である場合は、ドライバーが入る隙間がなく、特殊な工具が必要となるし、連結部材４を伝動部材３に対して水平方向に取り付けるようにビスをねじ込む際には、伝動部材３、連結部材４の両方を手で持ったうえで、連結部材４が伝動部材３から外れないように支持しながら取り付ける必要がある。このように、伝動部材３と連結部材４との現場での取り付けが非常に煩雑であるうえ、取り付けるためのスペースが限られており、そのうえ、引き戸Ｄの上端などは高所での作業となるので、より一層作業が困難となる。また、このような作業は、取付時だけでなく、掃除やメンテナンス等、引き戸Ｄを取り外す際にも生じ、従来の構成では、１枚ずつ簡単に引き戸Ｄを取り外すこともできない。
【００３３】
本実施形態では、伝動部材３と連結部材４とを磁力により吸着させて互いに連結することにより、引き戸Ｄの取付時、取り外し時に引き戸Ｄを容易に取り付け、取り外しすることができ、現場での作業性も大きく向上する。引き戸Ｄの取付作業について詳細に説明すると（引き戸Ｄの取り付けの順番は特に限定されないが）、例えば、引き戸Ｄ１を開口にまず取り付けた場合、次に引き戸Ｄ２を取り付ける。そして、本実施形態では、連結部材４ａを磁力により、伝動部材３との連結箇所で対向させ、磁力の吸着力により、連結部位で連結部材４ａと伝動部材３とが互いに吸着されて、非常に簡単に連結される。次に、引き戸Ｄ３を取り付けた後、同様に第２の連結部材４ｂを磁力により、伝動部材３との連結箇所で対向させ、磁力の吸着力により、連結部位で第２の連結部材４ｂと伝動部材３とが非常に簡単に連結させる。このように磁力の吸着力により伝動部材３と連結部材４を連結することができるので、狭い作業スペースであっても簡単に連結が可能となり、ビス等をねじ込む作業スペースや、部材を外れないように保持しながらビスをねじ込むような手間も必要がない。引き戸Ｄの１枚を取り外したい場合には、磁力に抗して伝動部材３と連結部材４を引き離すだけであるので、取り外しも非常に簡単である。
【００３４】
なお、伝動部材３と連結部材４とは、本実施形態では、図１および図３に示されるように、伝動部材３の長手方向の少なくとも１箇所に設けられる被連結部材５を介して連結されている。被連結部材５は、伝動部材３に予め一体に設けてもよいし、伝動部材３に取り付けても構わない。また、本実施形態では、被連結部材５を介して、伝動部材３と連結部材４とを間接的に連結しているが、例えば、伝動部材３を、磁性粉を混入させた磁性伝動部材とすることにより、例えば磁石を有する連結部材４と直接的に連結することもできる。
【００３５】
連結部材４および連結部材４に連結される被連結部材５は、図５（ａ）および（ｂ）に示されるように、一方が磁石Ｍを備え、他方が磁石Ｍに吸着される磁性体（たとえば、鉄等の強磁性体）または第２の磁石を備え、連結部材４と被連結部材５が対向したときに磁力により吸着されて連結される。本実施形態では、図５（ａ）および（ｂ）に示されるように、被連結部材５側に磁石Ｍが設けられ、連結部材４が磁性体により形成されている。しかしながら、連結部材４側に磁石が設けられ、被連結部材５側に磁性体が設けられてもよいし、連結部材４および被連結部材５の両方が磁石を有していてもよい。また、本実施形態では、連結部材４は磁性体により形成されているが、磁性体が設けられる部材（連結部材４または被連結部材５）の一部に磁性体を有していてもよく、例えば、樹脂製の連結部材４の一部に磁石と吸着される磁性体を取り付けてもよい。また、例えばベルト状の伝動部材３など、磁石（または磁性体）を取り付け可能な面を有する伝動部材３に、直接磁石（または磁性体）を取り付けてもよい。
【００３６】
被連結部材５は、引き戸Ｄの取り付け前に予め伝動部材３に取り付けられ、引き戸Ｄの取付時に連結部材４と磁力により連結される。上述したように、連結部材４の一方が磁石を備え、他方が磁石に吸着される磁性体または第２の磁石を備えている場合、図５（ａ）および（ｂ）に示されるように、連結部材４と、被連結部材５とが対向する位置に引き戸Ｄをスライドさせるか、伝動部材３を回動させるという簡単な動作で、連結部材４と被連結部材５との間の連結作業を行うことができる。すなわち、図５（ａ）に示されるように、連結部材４と、被連結部材５との間の位置が引き戸Ｄのスライド方向Ｙでずれている場合であっても、引き戸Ｄをスライドさせるか、伝動部材３を回動させるかして、被連結部材５が連結部材４に対向する位置に移動させると、磁力により互いに吸着され、連結部材４と被連結部材５との間の連結を簡単に行うことができる。
【００３７】
また、本実施形態の被連結部材５は、図６（ａ）に示されるように、嵌合凹部５ａを備え、連結部材４は、嵌合凹部５ａに嵌合する嵌合部を備えている。これにより、連結部材４と被連結部材５とが対向したときに、図１および図７に示されるように、嵌合部が嵌合凹部５ａに嵌合する。嵌合凹部５ａは、図５（ａ）、（ｂ）および図６（ａ）に示されるように、例えば引き戸Ｄ２がスライド方向Ｙに移動したときに、嵌合部（後述する連結部材４の吸着面４２。図７参照）のスライド方向Ｙの端部と当接する位置に壁部Ｗ１、Ｗ２を有している。このため、連結部材４と被連結部材５とが嵌合した後、引き戸Ｄがスライド方向Ｙに移動して、連結部材４と被連結部材５とがスライド方向Ｙで互いにずれるような力が加わっても、連結部材４と被連結部材５との間の連結が解除されることがない。なお、本実施形態では、嵌合凹部５ａは、被連結部材５に設けられ、嵌合部が連結部材４側に設けられているが、被連結部材５側に嵌合部を設け、連結部材４側に嵌合凹部を形成しても構わない。
【００３８】
本実施形態の被連結部材５は、より詳細に説明すると、図６（ａ）および（ｂ）に示されるように、基部５１と、歯付ベルト３のラック部３ａが係合する係合部５２ａを備えた係合部材５２とを備えている。基部５１は、略直方体状の部材から、一対の壁部Ｗ１、Ｗ２が、対向する引き戸に向かって突出し、壁部Ｗ１とＷ２との間に嵌合凹部５ａを形成している。基部５１には本実施形態では磁石Ｍが取り付けられ、連結部材４を磁力により吸着可能としている。なお、上述したように、連結部材４側に磁石を設ける場合などは、基部５１には磁性体または第２の磁石が設けられる。基部５１は、本実施形態では、図６（ａ）に示されるように、磁石Ｍ以外に、中央にネジ穴５ｂが形成され、ネジ穴５ｂの上部側に磁石Ｍが埋設されるが、ネジ穴５ｂや、磁石Ｍの埋設位置は、図示する位置に限定されるものではない。また、基部５１は、歯付ベルト３の幅に対応した溝部５ｃ（図７参照）を、基部５１と係合部材５２とが対向する対向面上に有しており、この溝部５ｃに歯付ベルト３が嵌まり込んで、歯付ベルト３の取り付けを容易にしている。
【００３９】
係合部材５２は、本実施形態では、図６（ａ）、（ｂ）および図７に示されるように、基部５１に接続される板状の部材であり、歯付ベルト３のラック部３ａに対応した形状の係合部５２ａが形成されている。本実施形態では、複数の係合部５２ａ（図６（ａ）および（ｂ）では、４つの係合部５２ａが示されている）を備え、隣接する係合部５２ａは、ラック部３ａ同士の長手方向の間隔に対応した間隔で設けられている。この係合部５２ａにラック部３ａが入り込むことにより、取付時にスライド方向Ｙにおける被連結部材５と歯付ベルト３との間の相対移動が防止される。
【００４０】
基部５１に設けられたネジ穴５ｂは基部５１を貫通して設けられ、歯付ベルト３のラック部３ａと係合する係合部材５２にもネジ穴５ｄ（図６（ａ）および（ｂ）参照）が形成され、基部５１と係合部材５２により歯付ベルト３を挟み込んだ後、ネジ穴５ｂ、５ｄにネジをねじ込んで、基部５１と係合部材５２とを固定して、歯付ベルト３と被連結部材５とを固定することができる。このとき、係合部材５２が磁性体から形成されている場合、歯付ベルト３を基部５１との間で挟み込んだ状態で、基部５１の磁石Ｍに係合部材５２が吸着されるため、ネジを取り付けるときの作業性が向上する。この場合、磁石Ｍは、基部５１のうち、引き戸Ｄの厚さ方向Ｘにおける両側に磁力を及ぼすように構成される。
【００４１】
なお、基部５１と係合部材５２との間の接続方法は、図示したものに限定されるものではない。例えば、基部５１と係合部材５２とを、ヒンジ部を介して接続して一体とし、歯付ベルト３を挟み込む際に、係合部材５２が基部５１に対して旋回して、歯付ベルト３を基部５１に取り付けた後に、係合部材５２を基部５１に対して歯付ベルト３を挟み込むように旋回させて、歯付ベルト３を挟み込んだ状態で、係合部材５２を基部５１に対して係合爪などで固定してもよい。
【００４２】
また、本実施形態では、歯付ベルト３は、図１、図６（ａ）および（ｂ）に示されるように、ループを形成しない２つの直線状のベルト部材３１、３２から構成されている。この場合、図６（ａ）および（ｂ）に示されるように、歯付ベルト３のベルト部材３１の一端に形成されているラック部３ａを、係合部材５２の係合部５２ａに挿入し、もう１つのベルト部材３２の一端に形成されているラック部３ａを、同様に係合部材５２の係合部５２ａに挿入して、基部５１と係合部材５２とでベルト部材３１、３２を挟み込み、２つのベルト部材３１、３２を被連結部材５の箇所で連結することができる。この利点としては、歯付ベルト３のループを形成する際に、現場においてループではない１本の十分な長さを有するベルトを、所望の引き戸Ｄの幅に応じた長さにカットして、ループではない１本のベルトからループ状の歯付ベルトに加工することができる点である。例えば、予めループ状の歯付ベルトを用意する場合には、引き戸Ｄのスライド方向Ｙにおける幅に応じた長さのループを形成するために、工場に発注をかけて製造するため、消費者から連動引き戸の注文があってから、実際に引き戸を取り付けるまでに、時間がかかってしまっていた。しかし、このように歯付ベルト３をカットして被連結部材５の部位でベルト部材３１、３２の端部を接続することにより、現場で簡単に長さ調節ができるため、すぐに引き戸Ｄを取り付けることが可能となった。また、このベルト部材３１、３２の端部の接続は、ベルト部材３１、３２との間の接続と、被連結部材５と歯付ベルト３との間の連結とを同時に行うことができるため、作業も非常に簡単である。なお、本実施形態では、２本の直線状のベルト部材３１、３２を接続しているが、１本の直線状のベルトの端部を被連結部材５の部位で接続してループを形成してもよい。
【００４３】
また、本実施形態では、図７に示されるように、連結部材４は、引き戸Ｄ２、引き戸Ｄ３の上端面ＵＳに固定される固定部４１と、引き戸Ｄ２の上端面ＵＳに対して略垂直に延び、被連結部材と磁力により吸着しあう吸着面４２と、吸着面４２から引き戸Ｄ１側に向かって略垂直に延びる延設部４３とを備えている。固定部４１はネジ等の公知の固定手段により引き戸Ｄに取り付けられる。吸着面４２は被連結部材５と磁力により吸着される面であり、本実施形態では、嵌合凹部５ａに嵌合する嵌合部としても機能している。また、延設部４３は、上述したように、伝動部材３の回動による動作により、伝動部材３が上側に浮き上がってしまうため、延設部４３が伝動部材３の上方まで延びていることにより、伝動部材３の浮き上がりを防止することができる。
【００４４】
また、本実施形態の変形例として、図８（ａ）〜（ｃ）に示されるように、被連結部材５の基部５１が、連結部材４（４ａ）の延設部４３が挿入される挿入部５３を備えていてもよい。挿入部５３は、図８（ａ）〜（ｃ）では、基部５１を貫通して形成された貫通孔として示されているが、延設部４３を挿入することができれば、貫通している必要はない。連結部材４と被連結部材５とが連結されるときに、図８（ｃ）に示されるように、挿入部５３に延設部４３が挿入される。これにより、連結部材４と被連結部材５との間の鉛直方向の移動が規制され、連結部材４と被連結部材５との間の離脱が防止される。この挿入部５３と延設部４３との間の係合は、特に、引き戸Ｄを閉鎖したときに、引き戸Ｄの端面（たとえば、図１における引き戸Ｄ２の右側の端面や、引き戸Ｄ３の左側の端面など）が壁などに勢いよく衝突した場合に役に立つ。すなわち、引き戸Ｄの閉鎖時に、引き戸Ｄの端面が壁などに勢いよく衝突した場合、引き戸Ｄと壁との衝突による衝撃や、引き戸Ｄが壁からはね返る際の衝撃（たとえば、引き戸Ｄの端面に引き戸Ｄの衝突時の衝撃を吸収する弾性クッションが設けられている場合など）や、その他、人が引き戸Ｄに衝突したときの衝撃などにより、連結部材４と被連結部材５との間に、離脱する方向の力が加わる場合がある。そのため、この変形例では、連結部材４と被連結部材５との間での、磁石による吸着力と、嵌合部と嵌合凹部５ａとの間のスライド方向での嵌合に加えて、鉛直方向の相対移動を規制している。これにより、引き戸Ｄへの衝撃時に、鉛直方向で連結部材４と被連結部材５との間に相対移動する力が加わっても、延設部４３が挿入部５３に挿入されることにより、挿入部５３の上下の壁部５３ａ、５３ｂにより、被連結部材５が連結部材４から離脱することが防止される。したがって、この変形例では、より強固に連結部材４と被連結部材５とを連結することが可能となり、引き戸Ｄの閉鎖時など、衝撃を受けたときに連結部材４と被連結部材５との間の離脱が確実に防止される。
【００４５】
つぎに、本発明の連動引き戸装置の他の実施形態を説明する。以下の実施形態では、方向転換部材２ａ、２ｂ、伝動部材３、連結部材４、被連結部材５等、各実施形態を構成する要素については、第１の実施形態と同様のものを用いることができるため、説明は省略し、相違点を中心に説明する。また、以下の実施形態と、第１の実施形態で説明した事項とを組み合わせることが可能であり、その場合、上述した効果と同様の効果を奏することが可能である。
【００４６】
＜第２の実施形態＞
第１の実施形態は、引き戸Ｄが３枚のものを説明したが、本発明の連動引き戸装置は４枚以上の引き戸Ｄを連動させることができ、本実施形態では、引き戸Ｄが５枚のものについて説明する。しかし、引き戸Ｄの枚数は４枚であってもよいし、６枚以上であっても構わない。
【００４７】
図９に示されるように、本実施形態では、５枚の引き戸Ｄ１１（第１の引き戸）、Ｄ１２（第２の引き戸）、Ｄ１３（第３の引き戸）、Ｄ１４（第４の引き戸）、Ｄ１５（第５の引き戸）を有している。本実施形態では、引き戸Ｄの厚さ方向Ｘで、引き戸Ｄ１３および引き戸Ｄ１５により、引き戸Ｄ１１、Ｄ１２、Ｄ１４を挟んでいる。
【００４８】
引き戸Ｄ１１の上端面ＵＳは、引き戸Ｄ１１のスライド方向Ｙで互いに離間して設けられた一対の方向転換部材２ａ、２ｂと、一対の方向転換部材２ａ、２ｂにループ状にかけ回される伝動部材３を備えている。また、引き戸Ｄ１２、Ｄ１４の上端面ＵＳは、同様に、引き戸Ｄ１２、Ｄ１４のスライド方向Ｓで互いに離間して設けられた一対の方向転換部材２ａ、２ｂをそれぞれ備え、引き戸Ｄ１２、Ｄ１４のそれぞれは、一対の方向転換部材２ａ、２ｂにループ状にかけ回される第２伝動部材３３、第３伝動部材３４を備えている。
【００４９】
つぎに、それぞれの引き戸Ｄの連結について説明する。
【００５０】
引き戸Ｄの厚さ方向Ｘで最も外側の（図９中、最も上に位置する）引き戸Ｄ１３は、引き戸Ｄ１３に取り付けられた第２の連結部材４ｂが伝動部材３に直接または間接的に連結されることにより、引き戸Ｄ１１と連結されている。本実施形態では、第２の連結部材４ｂは、伝動部材３に取り付けられた第２の被連結部材５０ｂを介して磁力により連結されている。なお、第２の被連結部材５０ｂや、後述する他の被連結部材については、第１の実施形態で説明したものと同様であり、説明は省略する。第２の連結部材４ｂは、引き戸Ｄ１３のスライド方向Ｙにおける引き戸閉鎖方向（図９中、右側）の端部近傍に取り付けられ、引き戸Ｄ１１に向かって延びて、第２の被連結部材５０ｂに連結される。
【００５１】
図９中、上から２番目の引き戸Ｄ１１は、引き戸Ｄ１２に取り付けられた（第１の）連結部材４ａが伝動部材３に直接または間接的に連結されることにより、引き戸Ｄ１２と連結されている。本実施形態では、連結部材４ａは、伝動部材３に取り付けられた被連結部材５を介して磁力により連結されている。連結部材４ａは、引き戸Ｄ１２のスライド方向Ｙにおける引き戸開放方向（図９中、左側）の端部近傍の上端面ＵＳに取り付けられ、引き戸Ｄ１１に向かって延びて、被連結部材５に連結される。
【００５２】
また、引き戸Ｄ１２は、引き戸Ｄ１１に取り付けられた第３の連結部材４ｃが第２伝動部材３３に直接または間接的に連結されることにより、引き戸Ｄ１１と連結されている。本実施形態では、第３の連結部材４ｃは、第２伝動部材３３に取り付けられた第３の被連結部材５０ｃを介して磁力により連結されている。第３の連結部材４ｃは、引き戸Ｄ１１のスライド方向Ｙにおける引き戸閉鎖方向（図９中、右側）の端部近傍の上端面ＵＳに取り付けられ、引き戸Ｄ１２に向かって延びて、第３の被連結部材５０ｃに連結される。
【００５３】
引き戸Ｄ１２は、さらに、引き戸Ｄ１４に取り付けられた第４の連結部材４ｄが第２伝動部材３３に直接または間接的に連結されることにより、引き戸Ｄ１４と連結されている。本実施形態では、第４の連結部材４ｄは、第２伝動部材３３に取り付けられた第４の被連結部材５０ｄを介して磁力により連結されている。第４の連結部材４ｄは、引き戸Ｄ１４のスライド方向Ｙにおける引き戸開放方向（図９中、左側）の端部近傍の上端面ＵＳに取り付けられ、引き戸Ｄ１２に向かって延びて、第４の被連結部材５０ｄに連結される。
【００５４】
また、引き戸Ｄ１４は、引き戸Ｄ１２に取り付けられた第５の連結部材４ｅが第３伝動部材３４に直接または間接的に連結されることにより、引き戸Ｄ１２と連結されている。本実施形態では、第５の連結部材４ｅは、第３伝動部材３４に取り付けられた第５の被連結部材５０ｅを介して磁力により連結されている。第５の連結部材４ｅは、引き戸Ｄ１２のスライド方向Ｙにおける引き戸閉鎖方向（図９中、右側）の端部近傍の上端面ＵＳに取り付けられ、引き戸Ｄ１４に向かって延びて、第５の被連結部材５０ｅに連結される。
【００５５】
図９中、最も下側の引き戸Ｄ１５は、引き戸Ｄ１５に取り付けられた第６の連結部材４ｆが第３伝動部材３４に直接または間接的に連結されることにより、引き戸Ｄ１４と連結されている。本実施形態では、第６の連結部材４ｆは、第３伝動部材３４に取り付けられた第６の被連結部材５０ｆを介して磁力により連結されている。第６の連結部材４ｆは、引き戸Ｄ１５のスライド方向Ｙにおける引き戸開放方向（図９中、左側）の端部近傍の上端面ＵＳに取り付けられ、引き戸Ｄ１４に向かって延びて、第６の被連結部材５０ｆに連結される。
【００５６】
なお、本実施形態において、被連結部材５および第２の被連結部材５０ｂは、伝動部材３のループに取り付けられている。伝動部材３のループは、互いに平行な一対の直線部Ｌ１、Ｌ２（図９参照）を有し、引き戸Ｄの閉鎖時に、被連結部材５が一方の直線部Ｌ１に沿って引き戸閉鎖方向に伝動部材３とともに移動し、第２の被連結部材５０ｂは、他方の直線部Ｌ２に沿って、被連結部材５とは逆方向の引き戸開放方向に伝動部材３とともに移動する。
【００５７】
また、第３の被連結部材５０ｃおよび第４の被連結部材５０ｄは、第２伝動部材３３のループに取り付けられている。引き戸Ｄの閉鎖時に、第４の被連結部材５０ｄが第２伝動部材３３のループの一方の直線部Ｌ１に沿って引き戸閉鎖方向に第２伝動部材３３とともに移動し、第３の被連結部材５０ｃは、他方の直線部Ｌ２に沿って、第４の被連結部材５０ｄとは逆方向の引き戸開放方向に第２伝動部材３３とともに移動する。
【００５８】
また、第５の被連結部材５０ｅおよび第６の被連結部材５０ｆは、第３伝動部材３４のループに取り付けられている。引き戸Ｄの閉鎖時に、第６の被連結部材５０ｆが第３伝動部材３４のループの一方の直線部Ｌ１に沿って引き戸閉鎖方向に第３伝動部材３４とともに移動し、第５の被連結部材５０ｅは、他方の直線部Ｌ２に沿って、第６の被連結部材５０ｆとは逆方向の引き戸開放方向に第３伝動部材３４とともに移動する。
【００５９】
上記構成により、伝動部材３、第２伝動部材３３および第３伝動部材３４と、連結部材４ａ、第２〜第６の連結部材４ｂ〜４ｆとを磁力により吸着させて互いに連結することにより、引き戸Ｄの取付時、取り外し時に引き戸Ｄを容易に取り付け、取り外しをすることができ、現場での作業性も大きく向上する。そして、図１０および図１１に示されるように、図１０に示される引き戸Ｄの開放状態から図１１に示される引き戸Ｄの閉鎖状態まで、複数枚の（本実施形態では５枚の）引き戸Ｄを連動させることができ、開放したときの開口部を広くすることができる。
【００６０】
＜第３の実施形態＞
第３の実施形態では、連結部材（特に、連結部材４ａ、第３〜第５の連結部材４ｃ〜４ｅ）の構造が異なる以外は、第２の実施形態と同様である。本実施形態では、連結部材の構造を変えることにより、引き戸Ｄを閉鎖したときの引き戸Ｄ間のスライド方向での重なりを小さくするように構成されている。
【００６１】
第２の実施形態では、図１０および図１１に示されるように、引き戸Ｄが、開放状態にあるとき（図１０参照）から、閉鎖状態（図１１参照）まで移動する際に、連結部材４ａおよび第３の連結部材４ｃが互いに対してスライド方向Ｙで近付くように移動する（図１１参照）。同様に、引き戸Ｄが開放状態から閉鎖状態まで移動する際に、第４の連結部材４ｄおよび第５の連結部材４ｅが互いに対してスライド方向Ｙで近付くように移動する。この場合、連結部材４ａの閉鎖方向側の端部と、第３の連結部材４ｃの開放方向側の端部とが、図１１に示されるように接触し、図１１中、隣接する引き戸Ｄのスライド方向Ｙでの重なりＡが大きくなる。引き戸Ｄのスライド方向Ｙでの重なりＡは、引き戸Ｄのスライド方向Ｙの長さを充分に生かすことができないため、この重なりＡをできるだけ少なくする必要がある。
【００６２】
本実施形態では、図１２および図１３に示されるように、連結部材４ａが、引き戸Ｄ１２に固定される固定部４１と、固定部４１から延び、引き戸Ｄの厚さ方向Ｘに切断した断面が略逆Ｕ字状のＵ字状部位４４とを備えている。固定部４１は、引き戸Ｄ１２に連結部材４ａを取り付けて固定する部位であり、たとえば図１３に示されるように、ビスなどの公知の固着手段により引き戸Ｄ１２に固定される。本実施形態では、固定部４１は、平板状の部材にビスを挿通する挿通孔を有している。固定部４１からは、略逆Ｕ字状のＵ字状部位４４が延びており、Ｕ字状部位４４は、本実施形態では、図１２に示されるように、固定部４１から引き戸Ｄ１２の上端面ＵＳに対して略垂直に延びる垂直部４４ａと、垂直部４４ａから、被連結部材５に向かって水平に延びる水平部４４ｂと、水平部４４ｂから下方に延びる第２垂直部４４ｃとを有している。また、本実施形態では、Ｕ字状部位４４に加えて、第２垂直部４４ｃの下端から、第２垂直部４４ｃに対して略垂直に延びる第２水平部４５を有している。垂直部４４ａは、第２伝動部材３３のループの内側を通って、引き戸１２の上端面ＵＳから延びている。なお、略逆Ｕ字状とは、Ｕ字状部位４４が、固定部４１から上方へ向かって延びた後、被連結部材５側に向かって延び、その後、下方へ延びている構造全般を言うものであり、図１２に示される形状に限定されるものではない。たとえば、本実施形態では、垂直部４４ａ、水平部４４ｂ、第２垂直部４４ｃ等は、平板状に形成されているが、湾曲しているものであってもよいし、図示する角度とは異なる角度で延びていてもよい。
【００６３】
一方、引き戸Ｄの閉鎖時に連結部材４ａに近付くように移動する第３の連結部材４ｃは、図１２および図１３に示されるように、引き戸Ｄ１１に取り付けられる固定部４１ｃと、固定部４１ｃから延び、引き戸Ｄの厚さ方向に切断した断面が略Ｌ字状のＬ字状部位４６とを備えている。固定部４１ｃは、引き戸Ｄ１１に第３の連結部材４ｃを取り付けて固定する部位であり、たとえば図１３に示されるように、ビスなどの公知の固着手段により引き戸Ｄ１１に固定される。本実施形態では、固定部４１ｃは、平板状の部材にビスを挿通する挿通孔を有している。固定部４１ｃからは、第３の被連結部材５０ｃに向かって水平に延びる水平部４６ａと、水平部４６ａから略垂直に延びる垂直部４６ｂとを有している。本実施形態では、Ｌ字状部位４６に加えて、垂直部４６ｂの上端から略垂直方向に延びる第２垂直部４７を有している。
【００６４】
この構成により、図１２および図１４に示されるように、連結部材４ａおよび第３の連結部材４ｃがスライド方向Ｙで一致する位置に移動したときに、Ｕ字状部位４４の内側（Ｕ字状部位４４の垂直部４４ａ、水平部４４ｂ、第２垂直部４４ｃにより囲まれた部位）に、Ｌ字状部位４６の一部（Ｌ字状部位４６の垂直部４６ｂ）が入り込むように構成されている。したがって、図１４に示されるように、引き戸Ｄを閉鎖方向にスライドさせて、連結部材４ａと、第３の連結部材４ｃが近付くように移動したときに、第３の連結部材４ｃのＬ字状部位４６が、Ｕ字状部位４４の内側に潜り込み、連結部材４ａと第３の連結部材４ｃとが干渉しない。そのため、第１の実施形態および第２の実施形態と同様の効果に加えて、引き戸Ｄのスライド方向Ｙでの重なりＡを小さくすることができる。
【００６５】
なお、本実施形態では、連結部材４ａがＵ字状部位４４を有し、第３の連結部材４ｃがＬ字状部位４６を有するものを示したが、連結部材４ａがＬ字状部位４６を有し、第３の連結部材４ｃがＵ字状部位４４を有するように構成し、第３の連結部材４ｃのＵ字状部位４４に連結部材４ａのＬ字状部位４６が入り込むようにしても構わない。
【００６６】
また、第４の連結部材４ｄおよび第５の連結部材４ｅは、それぞれ連結部材４ａおよび第３の連結部材４ｃと同様の構成とすることができる。また、第４の連結部材４ｄと第５の連結部材４ｅの形状を逆にしても構わない。
【００６７】
＜第４の実施形態＞
第４の実施形態は、伝動部材および第２伝動部材が、異なる高さとなるように、方向転換部材に巻回されている点と、連結部材の構造が、第３の実施形態と異なっている。
【００６８】
本実施形態では、図１５に示されるように、引き戸Ｄ１１に設けられる方向転換部材２ａ、２ｂの高さが、引き戸Ｄ１２に設けられる方向転換部材ａ、２ｂの高さよりも高く、引き戸Ｄ１１上で巻回されている伝動部材３の高さが、引き戸Ｄ１２上で巻回されている第２伝動部材３３の高さよりも高くなるように構成されている。
【００６９】
一方の連結部材（第３の連結部材４ｃ）は、第１の実施形態の連結部材と同様の構成であり、説明は省略する。本実施形態では、連結部材４ａは、固定部４１ａと、第３の連結部材４ｃの上端を超えて延び、第２伝動部材３３のループの内側を通って、引き戸Ｄ１２の上端面ＵＳから略垂直方向に延びる垂直部４８と、垂直部４８の上端から、伝動部材３に向かって延びる延長部４９とを備えている。延長部４９は、本実施形態では、垂直部４８の上端から水平方向に延びる水平部４９ａと、水平部４９ａに対して略垂直方向上方に向かって延びる、第２垂直部４９ｂと、第２垂直部４９ｂの上端から水平方向に延びる第２水平部４９ｃとを備えている。しかし、延長部４９は、本実施形態の構造に限定されるものではなく、第３の連結部材４ｃの高さを超えて延びていればよく、他の形状であっても構わない。
【００７０】
本実施形態では、連結部材４ａおよび第３の連結部材４ｃがスライド方向Ｙで一致する位置に移動したときに、連結部材４ａが第３の連結部材４ｃの上方に位置する。したがって、図１４に示したように、引き戸Ｄを閉鎖方向にスライドさせて、連結部材４ａと、第３の連結部材４ｃが近付くように移動したときに、連結部材４ａと第３の連結部材４ｃとが干渉しない。そのため、第１の実施形態および第２の実施形態と同様の効果に加えて、引き戸Ｄのスライド方向Ｙでの重なりＡを小さくすることができる。また、本実施形態では、被連結部材５および第３の被連結部材５０ｃが図１５に示されるように、上下方向にずれて位置しているため、引き戸Ｄ１１と引き戸Ｄ１２の間隔を狭くすることができる。
【００７１】
なお、連結部材４ａと第３の連結部材４ｃの形状が逆であってもよい。第４の連結部材４ｄおよび第５の連結部材４ｅは、それぞれ連結部材４ａおよび第３の連結部材４ｃと同様の構成とすることができる。また、第４の連結部材４ｄと第５の連結部材４ｅの形状を逆にしても構わない。
【００７２】
＜第５の実施形態＞
第５の実施形態は、隣接する引き戸の高さを変えることにより、伝動部材および第２伝動部材が、異なる高さとなるようにした点が第４の実施形態と異なる。
【００７３】
本実施形態では、図１６に示されるように、引き戸Ｄ１１の高さを引き戸Ｄ１２の高さよりも高くして、伝動部材３の高さが、第２伝動部材３３の高さよりも高くなるように構成している。
【００７４】
一方の連結部材（第３の連結部材４ｃ）は、第４の実施形態の第３の連結部材４ｃと形状はほぼ同様の構成であるが、第４の実施形態の第３の連結部材４ｃが引き戸Ｄ１１の上端面ＵＳに対して上方に延びているのに対し、本実施形態では引き戸Ｄ１１の上端面ＵＳに対して下方に延びている。他方の連結部材（連結部材４ａ）は、第４の実施形態の連結部材４ａと同様であり、説明は省略する。
【００７５】
本実施形態では、連結部材４ａおよび第３の連結部材４ｃがスライド方向Ｙで一致する位置に移動したときに、連結部材４ａが第３の連結部材４ｃの上方に位置する。したがって、図１４に示されるように、引き戸Ｄを閉鎖方向にスライドさせて、連結部材４ａと、第３の連結部材４ｃが近付くように移動したときに、連結部材４ａと第３の連結部材４ｃとが干渉しない。そのため、第１の実施形態および第２の実施形態と同様の効果に加えて、引き戸Ｄのスライド方向Ｙでの重なりＡを小さくすることができる。また、本実施形態では、第４の実施形態と同様に、被連結部材５および第３の被連結部材５０ｃが上下方向に位置しているため、引き戸Ｄ１１と引き戸Ｄ１２の間隔を狭くすることができる。
【００７６】
なお、連結部材４ａと第３の連結部材４ｃの形状が逆であってもよい。第４の連結部材４ｄおよび第５の連結部材４ｅは、それぞれ連結部材４ａおよび第３の連結部材４ｃと同様の構成とすることができる。また、第４の連結部材４ｄと第５の連結部材４ｅの形状を逆にしても構わない。
【００７７】
＜第６の実施形態＞
第３〜第５の実施形態が、連結部材同士の干渉を避けて引き戸Ｄの重なりを小さくしているのに対し、第６の実施形態では、連結部材同士を交差させることにより引き戸Ｄの重なりを小さくしている点で異なる。
【００７８】
本実施形態では、図１７に示されるように、連結部材４ａおよび第３の連結部材４ｃが、伝動部材３と第２伝動部材３３との間（引き戸Ｄの厚さ方向Ｘでの間）で交差するように延びている。本実施形態では、連結部材４ａは、固定部４１と、固定部４１から伝動部材３に向かって斜めに傾斜して延びる延長部４２０とを有している。延長部４２０は、傾斜した板状の傾斜部４２０ａと、傾斜部４２０ａの上端から水平に延びる水平部４２０ｂとを有している。また、同様に、第３の連結部材４ｃは、固定部４１と、傾斜部４２０ａおよび水平部４２０ｂを含む延長部４２０とを有している。なお、本実施形態では、連結部材４ａおよび第３の連結部材４ｃは、被連結部材５および第３の被連結部材５０ｃの上端側に設けられた磁石（図示せず）と、それぞれの水平部４２０ｂとが吸着されることにより連結されている。
【００７９】
また、本実施形態では、交差した連結部材４ａおよび第３の連結部材４ｃが、引き戸Ｄの厚さ方向Ｘに切断した断面が図１７に示されるように、略Ｘ字状になるように構成されているが、連結部材４ａおよび第３の連結部材４ｃが、連結部材が取り付けられる引き戸Ｄから伝動部材３または第２伝動部材３３に向かって延びる過程で交差するように構成されていれば、交差した連結部材４ａおよび第３の連結部材４ｃが略Ｘ字状となる必要はなく、他の形状であってもよい。
【００８０】
本実施形態では、図１８に示されるように、連結部材４ａの延長部４２０のうち、第３の連結部材４ｃの延長部４２０と交差する部位において、引き戸閉鎖方向側に切欠部４３０を有している。また、第３の連結部材４ｃの延長部４２０のうち、連結部材４ａの延長部４２０と交差する部位において、引き戸開放方向側に切欠部４３０を有している。この構成により、連結部材４ａおよび第３の連結部材４ｃがスライド方向Ｙで一致する位置に移動したときに、連結部材４ａの切欠部４３０に第３の連結部材４ｃの切欠部４３０が入り込むように構成されている。そのため、第１の実施形態および第２の実施形態と同様の効果に加えて、引き戸Ｄのスライド方向Ｙでの重なりＡを小さくすることができる。
【００８１】
なお、連結部材４ａの切欠部４３０の最奥部４３０ａと第３の連結部材４ｃの切欠部４３０の最奥部４３０ａとは、係合するように構成してもよいし、たとえば、切欠部４３０のスライド方向Ｙの長さを長くすることなどにより、引き戸Ｄが閉鎖したときに、連結部材４ａの切欠部４３０の最奥部４３０ａと第３の連結部材４ｃの切欠部４３０の最奥部４３０ａとが接触しないように構成することもできる。連結部材４ａの切欠部４３０の最奥部４３０ａと第３の連結部材４ｃの切欠部４３０の最奥部４３０ａとが接触しないようにすることにより、連結部材４ａおよび第３の連結部材４ｃが衝突せずに負荷が加わらないため、製品の寿命を延ばすことができ、連結部材４ａと被連結部材５との間および第３の連結部材４ｃと第３の被連結部材５０ｃとの間の連結を確実に維持することができる。
【００８２】
なお、切欠部４３０の形状は、本実施形態では、Ｖ字状の谷状に切り欠かれた切欠部として示されているが、スリット状の溝など、他の形状であっても構わない。また、第４の連結部材４ｄおよび第５の連結部材４ｅは、それぞれ連結部材４ａおよび第３の連結部材４ｃと同様の構成とすることができる。
【符号の説明】
【００８３】
１  連動引き戸装置
２ａ、２ｂ  方向転換部材（ギヤローラー）
２１  フランジ部
３  伝動部材（歯付ベルト）
３ａ  ラック部
３１、３２  ベルト部材
３３  第２伝動部材
３４  第３伝動部材
４、４ａ  連結部材
４ｂ  第２の連結部材
４ｃ  第３の連結部材
４ｄ  第４の連結部材
４ｅ  第５の連結部材
４ｆ  第６の連結部材
４１  固定部
４１ａ  固定部
４１ｃ  固定部
４２  吸着面
４３  延設部
４４  Ｕ字状部位
４４ａ  垂直部
４４ｂ  水平部
４４ｃ  第２垂直部
４５  第２水平部
４６  Ｌ字状部位
４６ａ  水平部
４６ｂ  垂直部
４７  第２垂直部
４８  垂直部
４９  延長部
４９ａ  水平部
４９ｂ  第２垂直部
４９ｃ  第２水平部
４２０  延長部
４２０ａ  傾斜部
４２０ｂ  水平部
４３０  切欠部
４３０ａ  切欠部の最奥部
５  被連結部材
５ａ  嵌合凹部
５ｂ  ネジ穴
５ｃ  溝部
５ｄ  ネジ穴
５０ｂ  第２の被連結部材
５０ｃ  第３の被連結部材
５０ｄ  第４の被連結部材
５０ｅ  第５の被連結部材
５０ｆ  第６の被連結部材
５１  基部
５２  係合部材
５２ａ  係合部
５３  挿入部
５３ａ、５３ｂ  壁部
Ａ  重なり
Ｄ、Ｄ１、Ｄ２、Ｄ３、Ｄ１１、Ｄ１２、Ｄ１３、Ｄ１４、Ｄ１５  引き戸
Ｇ  案内部材
Ｇａ  シリンダ部
Ｇｂ  シャフト部
Ｇｃ  係合部
Ｌ１、Ｌ２  直線部
ＬＳ  下端面
Ｍ  磁石
Ｒ１  レール
Ｒ２  レール
ＵＳ  上端面
Ｗ  戸車
Ｗ１、Ｗ２  壁部
Ｘ  引き戸の厚さ方向
Ｙ  スライド方向
【図１】
0006430344.tif 000002
【図２】
0006430344.tif 000003
【図３】
0006430344.tif 000004
【図４】
0006430344.tif 000005
【図５】
0006430344.tif 000006
【図６】
0006430344.tif 000007
【図７】
0006430344.tif 000008
【図８】
0006430344.tif 000009
【図９】
0006430344.tif 000010
【図１０】
0006430344.tif 000011
【図１１】
0006430344.tif 000012
【図１２】
0006430344.tif 000013
【図１３】
0006430344.tif 000014
【図１４】
0006430344.tif 000015
【図１５】
0006430344.tif 000016
【図１６】
0006430344.tif 000017
【図１７】
0006430344.tif 000018
【図１８】
0006430344.tif 000019
【図１９】
0006430344.tif 000020